(57)【特許請求の範囲】
【請求項１】
筐体内に収納された状態から外方に移動してその表示面の向きを変えるように回動できる表示体と、操作面を有する操作パネルとを備えた表示装置において、前記表示体に、この表示体の回動時に、前記操作パネルを、その操作面側が表になるように回動する連動手段を備えており、
前記連動手段を、前記操作パネルの両側の上部に設けた作動ピンを一方のスライド部材の円弧状のガイド孔に摺動可能に挿入して前記操作パネルの上部を一方のスライド部材で支持すると共に、前記操作パネルの両側の下部を、他方のスライド部材の前端部に支軸ピンにより回動可能に支持した支持手段と、他方のスライド部材を一方のスライド部材より早い速度で動かす移動手段とで構成したことを特徴とする表示装置。
【請求項２】
筐体内に設けられたシャーシユニットと、
このシャーシユニットに組み込まれて表示体を回動可能に保持して前後方向に移動可能な表示体ユニットと、
前記シャーシユニットに組み込まれて操作パネルを回動可能に保持して前後方向に移動可能なコントローラユニットと、
前記表示体ユニットを前後方向に移動させると共に、前記表示体ユニットの移動途中で前記表示体をその表示面の向きを変えるように回動させる駆動手段と、
前記表示体の回動時に、前記操作パネルを、これの操作面側が表になるように回動させる連動手段とを備えており、
前記連動手段を、前記操作パネルの両側の上部に設けた作動ピンを一方のスライド部材の円弧状のガイド孔に摺動可能に挿入して前記操作パネルの上部を一方のスライド部材で支持すると共に、前記操作パネルの両側の下部を、他方のスライド部材の前端部に支軸ピンにより回動可能に支持した支持手段と、他方のスライド部材を一方のスライド部材より早い速度で動かす移動手段とで構成したことを特徴とする表示装置。
【請求項３】
前記シャーシユニットを、ベース部材に固着されるシャーシの両側部に、前後方向に内方に突出するようにして複数のガイドローラーを軸支し、可動ガイドレール部材の両側部に、外方に向かって開口するガイドレール部を前後方向に向けて形成すると共に、前記ガイドレール部の上面部をガイド部に成し、前記ガイドローラーを前記ガイドレール部に挿入して前記可動ガイドレール部材を前記シャーシ内に前後方向に移動可能に組み付けて構成し、
前記表示体ユニットの両側部に前後方向に外方に突出するようにして複数のガイドローラーを軸支し、前記表示体ユニットの前記ガイドローラーを、前記ガイドレール部の上面部の前記ガイド部に当接させて、前記可動ガイドレール部材内に前記表示体ユニットを前後方向に移動可能に組み付けた請求項２記載の表示装置。
【請求項４】
前記駆動手段を、前記表示体ユニットが搭載する駆動源によりラックギヤを前記シャーシユニット側の固定ラック上を回転させて前記表示体ユニットを移動する表示体ユニット移動手段と、前記駆動源の回転を前記表示体の回動中心に設けられたパネル側ギヤに伝達するギヤ列を有する表示体起伏手段と、前記表示体起伏手段の前記ギヤ列のギヤ連係及びこの連係の解除を前記表示体ユニットの移動途中で行うクラッチ手段とで構成した請求項２又は請求項３記載の表示装置。
【請求項５】
前記コントロールユニットを、スライドベースの側部にスライドプレートを前後方向に移動可能に設けると共に、前記スライドプレートにラックギヤを回転可能に支承し、前記スライドプレートに上、下側スライドラック部材をそれぞれ前後方向に移動可能に設けて、上、下側スライドラック部材のラック部をそれぞれ前記ラックギヤに噛み合せ、前記操作パネルの両側の上部に設けた作動ピンを前記スライドプレートの円弧状のガイド孔に摺動可能に挿入して前記操作パネルの上部を一方のスライド部材で支持すると共に、前記操作パネルの両側の下部を、前記下側スライドラック部材の前端部に支軸ピンにより回動可能に支持し、前記スライドプレートと前記下側スライドラック部材との間に第１のスプリングを掛け渡すと共に、前記上側スライドラック部材と前記スライドベースとの間に第２のスプリングを掛け渡し、前記スライドベースに、前記表示体ユニットが回動可能に保持する前記表示体の起立時に、この表示体の下側部に干渉するステー側干渉部を設けた請求項２又は請求項３又は請求項４記載の表示装置。
【発明の詳細な説明】
【０００１】
【発明の属する技術分野】
本発明は、自動車のコンソールパネル等に搭載されて、例えばテレビモニタなどの表示体が外方に移動して立ち上げ姿勢に回動し得る表示機器に関するものである。
【０００２】
【従来の技術】
車載用の表示装置としては図２８に示すものがある。この表示装置８０では、車内での設置スペースに制約があるため、表示機器の筐体８１の外形寸法をあまり大きくすることができず、よって、筐体８１内に収容される表示体８２の大きさも限られたものになる。しかも、表示体８２の表示画面８３はある程度広く確保しなくてはならないため、表示画面８３以外の領域、例えば表示画面８３の下方向の余裕領域８４の面積は非常に狭くなる。
【０００３】
そのため余裕領域８４にスイッチなどの操作釦取付構造部材８５を設けようとした場合、その大きさや数が制限され、例えばテレビモニタの電源スイッチやチャンネルシフトスイッチを配置する程度が限界である。
【０００４】
また、表示体８３の上端部８３Ａにはスペース余裕があるが、表示体８３が立ち上がり姿勢となったときに、表示体８３の上端面は上向きでかつ斜め後方へ向けられるため、この部分に頻繁に操作する必要のある操作スイッチ８５を配置すると、操作しずらいものとなる。
【０００５】
このような不具合を解消するものとして実開平６−８７０９５公報に開示された技術がある。この開示技術は、図２９に示すように水平状態で筐体８１に収納されるテレビモニタなどの表示体８３を備えており、この表示体８３は突出した時点で立ち上がり方向に回動する。表示体８３の下部には支軸８６を介して操作パネル８７が前後方向に回動可能に取り付けてあり、表示体８３が筐体８１に収納された時には、操作パネル８７は表示体８３の凹部８８内に収まるように折り畳まれ、表示体８３が突出して立ち上り姿勢になると、図３０に示すように手で操作パネル８７を水平姿勢に回動させて、操作パネル８７を保持して、操作パネル８７に設けたスイッチボタン等８９を操作しやすい位置にするようにしたものである。
【０００６】
【発明が解決しようとする課題】
しかしながら、上記従来の表示装置にあっては、表示体８３が突出して立ち上り姿勢になると、手で操作パネル８７を水平姿勢に回動させて、操作パネル８７に設けたスイッチボタン等８９を操作しやすい位置にするように操作者の手を煩わせており、広い表示面積を得ることができないという問題点があった。
【０００７】
本発明は、上記の問題点に着目して成されたものであって、その目的とするところは、表示体が突出して立ち上り姿勢になると、この表示体に連動して操作パネルが回動し、この操作パネルの操作面と表示体の表示面とを同時に見ることができて広い表示面積を得ることができるばかりか、操作者の手を煩わせるという問題点を解消する表示装置を提供することにある。
【０００８】
【課題を解決するための手段】
上記の目的を達成するために、請求項１の発明に係わる表示装置は、筐体内に収納された状態から外方に移動してその表示面の向きを変えるように回動できる表示体と、操作面を有する操作パネルとを備えた表示装置において、前記表示体に、この表示体の回動時に、前記操作パネルを、その操作面側が表になるように回動する連動手段を備えており、前記連動手段を、前記操作パネルの両側の上部に設けた作動ピンを一方のスライド部材の円弧状のガイド孔に摺動可能に挿入して前記操作パネルの上部を一方のスライド部材で支持すると共に、前記操作パネルの両側の下部を、他方のスライド部材の前端部に支軸ピンにより回動可能に支持した支持手段と、他方のスライド部材を一方のスライド部材より早い速度で動かす移動手段とで構成したことを特徴とする。
【０００９】
かかる構成により、表示体の回動時に、連動手段により操作パネルを、その操作面側が表になるように回動させる。すなわち、表示体が突出して立ち上り姿勢になると、操作パネルを回動させて、この操作パネルの、収納時と同じ面である操作面を表側にして、この操作面と表示体の表示面とを同時に見ることができて広い表示面積を得ることができるばかりか、操作者の手を煩わせるという問題点を解消する。
【００１０】
また、かかる構成により、移動手段の作動で他方のスライド部材を一方のスライド部材より早い速度で動かすことにより、前記操作パネルの下部が前方に突出すると共に、操作パネルの上部に設けた作動ピンを一方のスライド部材の円弧状のガイド孔を摺動して下降し操作パネルの寝かし込みが行われる。
【００１１】
また、上記の目的を達成するために、請求項２の発明に係わる表示装置は、筐体内に設けられたシャーシユニットと、このシャーシユニットに組み込まれて表示体を回動可能に保持して前後方向に移動可能な表示体ユニットと、前記シャーシユニットに組み込まれて操作パネルを回動可能に保持して前後方向に移動可能なコントローラユニットと、前記表示体ユニットを前後方向に移動させると共に、前記表示体ユニットの移動途中で前記表示体をその表示面の向きを変えるように回動させる駆動手段と、前記表示体の回動時に、前記操作パネルを、これの操作面側が表になるように回動させる連動手段とを備えており、前記連動手段を、前記操作パネルの両側の上部に設けた作動ピンを一方のスライド部材の円弧状のガイド孔に摺動可能に挿入して前記操作パネルの上部を一方のスライド部材で支持すると共に、前記操作パネルの両側の下部を、他方のスライド部材の前端部に支軸ピンにより回動可能に支持した支持手段と、他方のスライド部材を一方のスライド部材より早い速度で動かす移動手段とで構成したことを特徴とする。
【００１２】
かかる構成により、駆動手段により表示体ユニットを前後方向に前進させると、この表示体ユニットの前進途中で前記表示体がその表示面の向きを変えるように回動する。この場合、連動手段により前記操作パネルが、操作面側が表になるように回動し、この操作パネルの、収納時と同じ面である操作面を表側にして、この操作面と表示体の表示面とを同時に見ることができて広い表示面積を得ることができるばかりか、操作者の手を煩わせるという問題点を解消する。
【００１３】
また、かかる構成により、移動手段の作動で他方のスライド部材を一方のスライド部材より早い速度で動かすことにより、前記操作パネルの下部が前方に突出すると共に、操作パネルの上部に設けた作動ピンを一方のスライド部材の円弧状のガイド孔を摺動して下降し操作パネルの寝かし込みが行われる。
【００１４】
また、上記の目的を達成するために、請求項３の発明に係わる表示装置は、請求項２記載の表示装置において、前記シャーシユニットを、ベース部材に固着されるシャーシの両側部に、前後方向に内方に突出するようにして複数のガイドローラーを軸支し、可動ガイドレール部材の両側部に、外方に向かって開口するガイドレール部を前後方向に向けて形成すると共に、前記ガイドレール部の上面部をガイド部に成し、前記ガイドローラーを前記ガイドレール部に挿入して前記可動ガイドレール部材を前記シャーシ内に前後方向に移動可能に組み付けて構成し、前記表示体ユニットの両側部に前後方向に外方に突出するようにして複数のガイドローラーを軸支し、前記表示体ユニットの前記ガイドローラーを、前記ガイドレール部の上面部の前記ガイド部に当接させて、前記可動ガイドレール部材内に前記表示体ユニットを前後方向に移動可能に組み付けた。
【００１５】
かかる構成により、請求項２の作用と同様な作用を奏し得るばかりか、前記表示体ユニットの前後方向の移動に際して、前記可動ガイドレール部材がシャーシに対して移動し、次に、この可動ガイドレール部材に対して表示体ユニットが移動するために、表示体ユニットの長い引き出しストロークに対処でき、通常必要となる固定ガイドレールが不要になる。
【００１６】
また、上記の目的を達成するために、請求項４の発明に係わる表示装置は、請求項２又は請求項３記載の表示装置において、前記駆動手段を、前記表示体ユニットが搭載する駆動源によりラックギヤを前記シャーシユニット側の固定ラック上を回転させて前記表示体ユニットを移動する表示体ユニット移動手段と、前記駆動源の回転を前記表示体の回動中心に設けられたパネル側ギヤに伝達するギヤ列を有する表示体起伏手段と、前記表示体起伏手段の前記ギヤ列のギヤ連係及びこの連係の解除を前記表示体ユニットの移動途中で行うクラッチ手段とで構成した。
【００１７】
かかる構成により、請求項２の作用と同様な作用を奏し得る。また、１つの駆動源（モーター）で表示体の引き出しと起立の２動作を別々に行なうと、駆動経路の切替タイミングが微妙になると共に、駆動力がなくなった側の状態保持をそれぞれ行う必要があるが、表示体ユニット移動手段により前記表示体ユニットを移動し、その途中でクラッチ手段により前記表示体起伏手段のギヤ列のギヤ連係を行うことで、前記表示体の移動途中でこの表示体の起立を行うことができて、引き出し側の状態保持が不要になる。
【００１８】
また、上記の目的を達成するために、請求項５の発明に係わる表示装置は、請求項２又は請求項３又は請求項４記載の表示装置において、前記コントロールユニットを、スライドベースの側部にスライドプレートを前後方向に移動可能に設けると共に、前記スライドプレートにラックギヤを回転可能に支承し、前記スライドプレートに上、下側スライドラック部材をそれぞれ前後方向に移動可能に設けて、上、下側スライドラック部材のラック部をそれぞれ前記ラックギヤに噛み合せ、前記操作パネルの両側の上部に設けた作動ピンを前記スライドプレートの円弧状のガイド孔に摺動可能に挿入して前記操作パネルの上部を一方のスライド部材で支持すると共に、前記操作パネルの両側の下部を、前記下側スライドラック部材の前端部に支軸ピンにより回動可能に支持し、前記スライドプレートと前記下側スライドラック部材との間に第１のスプリングを掛け渡すと共に、前記上側スライドラック部材と前記スライドベースとの間に第２のスプリングを掛け渡し、前記スライドベースに、前記表示体ユニットが回動可能に保持する前記表示体の起立時に、この表示体の下側部に干渉するステー側干渉部を設けた。
【００１９】
かかる構成により、請求項２の作用と同様な作用を奏し得るばかりか、起立状態でのバックラッシュによる前記表示体のがたつきは、第２のスプリングが前記上側スライドラック部材を後方に付勢して、前記スライドベースのステー側干渉部が前記表示体の下側部に干渉することにより防止されるので、前記表示体の視認性を確保することができる。
【００２０】
【発明の実施の形態】
以下、本発明の実施の形態を図面に基づいて説明する。
図１は本発明に係わる表示装置の斜視図、図２は同表示装置において表示パネルを起立させた状態の一部省略した正面図、図３は同表示装置において表示パネルを引き出した状態の平面図、図４の（１）、（２）、（３）は同表示装置の作動説明図である。なお、図面において前後方向をＸ−Ｘ′、左右方向をＹ−Ｙ′、上下方向をＺ−Ｚ′とする。
【００２１】
本発明に係わる表示機器は、筐体Ｋと、シャーシユニット１と、表示体（ＬＣＤ）ユニット２と、コントローラユニット３とから大略構成してある。前記シャーシユニット１は、図２、図５乃至図１１に示すように断面コ字形状のべース部材４と、このべース部材４に固着されるシャーシ５と、可動ガイドレール部材１１を備えている。
【００２２】
前記シャーシ５は、図６に示すように左側シャーシ５Ｌと右側シャーシ５Ｒとから構成してあって、左側シャーシ５Ｌは左側面部６と上面部７とを有しており、この上面部７の右端部に右側シャーシ５Ｒが固着してあり、シャーシ５は断面コ字形状を成している。
【００２３】
前記シャーシ５の左、右側部、すなわち、左側シャーシ５Ｌの左側面部６及び右側シャーシ５Ｒには内方に突出するラック保持部６Ｌ、６Ｒが形成してあり、左のラック保持部６Ｌには左の固定ラック７が、右のラック保持部６Ｒには右の固定ラック８がそれぞれ前後方向に向けて且つ平行させて固着してある。左の固定ラック７には、図１１の（１）に示すように前後方向に沿うピンガイド部９が形成してあり、このピンガイド部９は前半部がガイド溝部９Ａに、後半部がガイド面部９Ｂにしてあり、ピンガイド部９の中間部においてガイド溝部９Ａからガイド面部９Ｂにピンを移行させる切替溝部９Ｃが上向に形成してある。また、右の固定ラック８の下部には、図１１の（２）に示すように前後方向に沿う検出用リブ８Ａが形成してあり、この検出用リブ８Ａの前部には複数のスリット８Ａー１が形成してある。また、右の固定ラック８の後半部の内面部には前後方向に沿うドッグ部８Ｂが形成してある。
【００２４】
また、前記シャーシ５の左、右側部、すなわち、左側シャーシ５Ｌの左側面部６の前、後部及び中間部には、内方に突出するようにしてガイドローラー１０Ｌー１、１０Ｌー３、１０Ｌー２が軸支してある。また、左側シャーシ５Ｌの左側面部６の後部にはばね受け部１０が設けてある。そして、右側シャーシ５Ｒの前部及び中間部には、内方に突出するようにしてガイドローラー１０Ｒー１、１０Ｒー２が軸支してあり、前部のガイドローラー１０Ｌー１、１０Ｒー１は中間部のガイドローラー１０Ｌー２、１０Ｒー２より大径にしてある。
【００２５】
前記可動ガイドレール部材１１は、図８に示すように面部１１Ａの左、右に左、右側面部１１Ｌ、１１Ｒを形成し、左、右側面部１１Ｌ、１１Ｒに、外方に向かって開口するガイドレール部１２Ｌ、１２Ｒを前後方向に向けて形成した構成であり、ガイドレール部１２Ｌ、１２Ｒの上面がガイド部１２Ａになっている。左のガイドレール部１２Ｌの前端部には前方に突出するアーム部７３が形成してあり、このアーム部７３には内方に突出するガイドピン７４が取り付けてある。また、可動ガイドレール部材１１の左側面部１１Ｌの前部にはばね受部１１Ｄが設けてある。
【００２６】
そして、前記シャーシ５は、その上面部７の左、右端部を前記べース部材４の左、右面部４Ｌ、４Ｒに固着して、このべース部材４に取り付けてある。また、前記可動ガイドレール部材１１は、左右のガイドレール部１２Ｌ、１２Ｒにガイドローラー１０Ｌー１、１０Ｌー２、１０Ｌー３、１０Ｒ−１、１０Ｒ−２を挿入させて前記シャーシ５内に前後動可能に設けてる。この場合、可動ガイドレール部材１１の面部１１Ａに設けたガイドピン１３、１４は、前記シャーシ５の上面部７に設けた前後方向のガイド用長孔１５、１６に摺動可能に挿入してある。そして、前記ばね受け部１０とばね受部１１Ｄとの間には第３のスプリングＰ３が掛け渡してあって、第３のスプリングＰ３により可動ガイドレール部材１１は前方向に付勢されている。
【００２７】
前記表示体（ＬＣＤ）ユニット２は、図１２乃至図１８に示すように可動ベース部材１７を備えており、この可動ベース部材１７は面部１７Ａの左、右に左、右側面部１７Ｌ、１７Ｒを形成して構成してあり、これらの左、右側面部１７Ｌ、１７Ｒの中間部には外方に突出するストッパー部１７Ｌー１、１７Ｒー１が設けてある。また、左、右側面部１７Ｌ、１７Ｒの前、後部には外方に突出するようにしてガイドローラー１８Ｌ、１８Ｒが軸支してある。
【００２８】
そして、可動ベース部材１７には駆動手段である駆動機構部１９と位置検出機構部２０とが設けてある。この駆動機構部１９は、前記面部１７Ａの裏側に固着された駆動源であるモーター２１と、左、右側面部１７Ｌ、１７Ｒ間に回転可能にして横架されたスライド用同期軸２２とを備えており、このスライド用同期軸２２の左側には、左側ラック用ギヤ２３とピニオンギヤ２４とが一体にして固着してあり、スライド用同期軸２２の右側には、右側ラック用ギヤ２５が固着してある。前記ピニオンギヤ２４の後述するスイングプレート２８との対向面には、図１７の（３）に示すように凹部２４Ａが形成してあり、この凹部２４Ａにはスプリング２４Ｂが圧縮された状態で収容してあって、このスプリング２４Ｂの端部はスイングプレート２８の面部に圧接してフリクションを発生している。
【００２９】
また、可動ベース部材１７の左側面部１７Ｌには、図１８の（１）、（２）に示すようにロックプレート６８が前後方向に所定の距離移動可能に設けてある。すなわち、このロックプレート６８の前後には前後方向に沿う長孔６９、７０が設けてあり、また、ロックプレート６８の中間部には上下方向に沿う長孔７１が設けてあって、長孔６９には、可動ベース部材１７の左側面部１７Ｌに突設したピン７２が挿入してあり、また、長孔６９には後述する起立用同期軸３９が挿入してある。
【００３０】
また、前記モーター２１の出力軸２１Ａは、ウォームギヤ機構２６を有するギヤ列２７を介してピニオンギヤ２４に連係している。また、スライド用同期軸２２の左側にはクラッチ手段であるスイング機構Ｓが設けてある。このスイング機構Ｓは、図１７、図１８に示すようにスライド用同期軸２２にスイングスリーブ２８Ａを介して回転可能に設けたスイングプレート２８を有しており、このスイングプレート２８の上部には支軸６７が取り付けてあり、この支軸６７にはスイングギヤ２９が回転可能に設けてあり、支軸６７の端部は前記ロックプレート６８の中間部の上下方向に沿う長孔７１に挿入してある。そして、スイングギヤ２９は前記左側ラック用ギヤ２３と後述するパワーギヤ４０とに係脱可能に噛み合っており、スイングプレート２８の下部にはスイングピン３０が固着してある。
【００３１】
また、可動ベース部材１７の前部には、これの左、右側面部１７Ｌ、１７Ｒの前部に設けた支軸３１Ｌ、３１Ｒにより回転可能に支持されて表示体である表示パネル（ＬＣＤ）３２が設けてある。すなわち、この表示パネル３２は、図２に示すように長方形状のパネル枠体３３の前面に液晶の表示面３４を設けた構成であり、このパネル枠体３３の左、右側部の下部に図１２に示すように支承孔部３５Ｌ、３５Ｒを有していて、この支承孔部３５Ｌ、３５Ｒに支軸３１Ｌ、３１Ｒを挿入して可動ベース部材１７の前部に設けてある。
【００３２】
そして、前記表示パネル３２のパネル枠体３３の左、右側部の下端部には円弧状のパネル側ギヤ３６Ｌ、３６Ｒが形成してあり、また、パネル枠体３３の左側部には、パネル枠体３３の先端面から後方に至りパネル枠体３３の前面側に抜けるガイド溝３３Ｑが形成してある。また、パネル枠体３３の裏面にはブラケット３７が固着してあり、このブラケット３７の後端部には左右の干渉片部３８Ｌ、３８Ｒが形成してあって、これらの干渉片部３８Ｌ、３８Ｒはパネル枠体３３の後端部より後方に突出している。
【００３３】
また、前記可動ベース部材１７の前部には、図１２に示すようにこれの左、右側面部１７Ｌ、１７Ｒに回転可能に横架して起立用同期軸３９が設けてあり、この起立用同期軸３９の左側にはパワーギヤ４０と左の起立用駆動ギヤ４１Ｌとが一体にして固着してあり、起立用同期軸３９の右側には右の起立用駆動ギヤ４１Ｒが固着してある。そして、これらの起立用駆動ギヤ４１Ｌ、４１Ｒは前記パネル側ギヤ３６Ｌ、３６Ｒに噛み合っている。なお、前記パワーギヤ４０の面部には図１７、図１８に示すように円弧状のカム溝４０Ａが形成してあり、このカム溝４０Ａに前記ロックプレート６８に固着したカムピン７３が挿入してある。
【００３４】
また、前記位置検出機構部２０は、図１６に示すように前記可動ベース部材１７の裏面に取り付けブラケット４２を介して取り付けられたホトセンサ４３とリミットスイッチ４４とを備えている。
【００３５】
そして、前記表示体ユニット２は、図２、図３に示すように可動ベース部材１７の左、右側面部１７Ｌ、１７Ｒの前、後部に設けたガイドローラー１８Ｌ、１８Ｒを前記可動ガイドレール部材１１の左右のガイドレール部１２Ｌ、１２Ｒの上面のガイド部１２Ａに当接して前後方向に移動可能にシャーシユニット１内に収容してある。この場合、スライド用同期軸２２の左側に設けた左側ラック用ギヤ２３は左の固定ラック７に、右側ラック用ギヤ２５が右の固定ラック８にそれぞれ噛み合っており、スイングプレート２８の下部のスイングピン３０がピンガイド部９の前半部のガイド溝部９Ａに摺動可能に挿入されており、ホトセンサ４３は、右の固定ラック８に形成した検出用リブ８Ａに近接している。また、前記可動ガイドレール部材１１のガイドピン７４がパネル枠体３３のガイド溝３３Ｑに摺動可能に挿入してある。
【００３６】
前記コントローラユニット３は、図１９乃至図２７に示すように一方のスライド部材であるスライドベース４５を有しており、このスライドベース４５は、左右のスライドプレート４５Ｌ、４５Ｒと、左右のスライドプレート４５Ｌ、４５Ｒの前部を互いに連結するフロントステー４５Ｃとから構成してある。そして、このフロントステー４５Ｃの前縁部には一対のステー側干渉部７４が設けてある。
【００３７】
そして、左のスライドプレート４５Ｌには、図２４に示すようにその前部に円弧状のガイド孔４６が上下方向に形成してあり、また、上部には前後のスライドガイド孔４７、４８が、下部には前後のスライドガイド孔４９、５０が、中間部には中間スライドガイド孔５１がそれぞれ形成してある。また、スライドプレート４５Ｌの後縁部にはストッパー部５２が形成してある。また、右のスライドプレート４５Ｒは左のスライドプレート４５Ｌと線対称を成していて、同構成である（図２３の（１）参照）。
【００３８】
そして、左右のスライドプレート４５Ｌ、４５Ｒの中間部には、内面側にスライドギヤ５３が回転可能に軸支してある。左右のスライドプレート４５Ｌ、４５Ｒの内面側には上側スライドラック部材５３Ｌ、５３Ｒと他方のスライド部材である下側スライドラック部材５７Ｌ、５７Ｒとが前後方向に移動可能に配置してある。すなわち、左右の上側スライドラック部材５３Ｌ、５３Ｒの下縁部にはラック部５４が、また、前、後部にはスライドガイド孔５５、５６がそれぞれ形成してある。また、左右の下側スライドラック部材５７Ｌ、５７Ｒの上縁部にはラック部５８が、また、前端部には内方に突出させて支軸ピン５９がそれぞれ設けてある。
【００３９】
そして、下側スライドラック部材５７Ｌ、５７Ｒの前後にはスライドピン６０、６１が固着してあり、これらのスライドピン６０、６１が左右のスライドプレート４５Ｌ、４５Ｒのスライドガイド孔４９、５０に摺動可能に挿入されていて、下側スライドラック部材５７Ｌ、５７Ｒが左右のスライドプレート４５Ｌ、４５Ｒに取り付けてある。また、下側スライドラック部材５７Ｌ、５７Ｒの後部内側にはばね係止部６８が設けてあり、このばね係止部６８と、左右のスライドプレート４５Ｌ、４５Ｒの前部に設けたばね係止部６９との間に第１のスプリング１Ｐ１が掛け渡してあり、この第１のスプリングＰ１の付勢力により下側スライドラック部材５７Ｌ、５７Ｒは前方に付勢されている。
【００４０】
そして、左右の下側スライドラック部材５７Ｌ、５７Ｒの先端部には、操作パネルであるコントロールパネル６２が、その左、右側面部の下部の支点孔６２Ａに支軸ピン５９を挿入させて回動可能に取り付けてある。このコントロールパネル６２の表側である操作面６２Ａ、すなわち、図４の（３）の状態で上向きになる面には、各種操作部材が配置されている。この操作部材は多数のスイッチボタン（図示せず）などである。前記表示パネル３２が地上放送や衛星放送等を映すテレビとしてとして使用される場合には、これらのスイッチボタンは、電源スイッチ、チャンネルシフトスイッチ、または各チャンネル後とに設けられた多数の選局スイッチなどである。
【００４１】
そして、前記コントローラユニット３が前記シャーシ５に取り付けられた状態では、シャーシ５の左、右側部、すなわち、左側シャーシ５Ｌの左側面部６及び右側シャーシ５Ｒの外方に左右のスライドプレート４５Ｌ、４５Ｒが位置しており、スライドプレート４５Ｌ、４５Ｒと左側シャーシ５Ｌの左側面部６及び右側シャーシ５Ｒとの間に上、下側スライドラック部材５３Ｌ、５３Ｒ、５７Ｌ、５７が位置している。そして、シャーシ５の左側部に固着した前後のスライドピン６３、６４が上側スライドラック部材５３Ｌの前後のスライドガイド孔５５、５６を貫通して左のスライドプレート４５Ｌの前後のスライドガイド孔４７、４８に挿入してあり、また、前記シャーシ５の左面部に固着したスライド押えピン６５が左のスライドプレート４５Ｌの中間スライドガイド孔５１に摺動可能に挿入してある。そして、上、下側スライドラック部材５３Ｌ、５７Ｌのラック部５４、５８がそれぞれ左のラックギヤ５３に噛み合っている。
【００４２】
また、前記シャーシ５の右側部に固着した前後のスライドピン６３、６４が上側スライドラック部材５３Ｒの前後のスライドガイド孔５５、５６を貫通して右のスライドプレート４５Ｒの前後のスライドガイド孔４７、４８に挿入してあり、また、前記シャーシ５の右面部に固着したスライド押えピン６５が右のスライドプレート４５Ｒの中間スライドガイド孔５１に摺動可能に挿入してある。そして、上、下側スライドラック部材５３Ｒ、５７Ｒのラック部５４、５８がそれぞれ右のラックギヤ５３に噛み合っている。また、スライドプレート４５Ｌ、４５Ｒの後縁部のストッパー部５２が前記シャーシ５の左、右側部に形成した前後方向に沿う孔部６６に挿入してある。
【００４３】
また、コントロールパネル６２の左、右側面部の上部には作動ピン６７が固着してあり、これらの作動ピン６７は、左右のスライドプレート４５Ｌ、４５Ｒの円弧状のガイド孔４６に摺動可能に挿入してある。また、上側スライドラック部材５３Ｌ、５３Ｒの前部上側にはばね係止部７５が設けてあり、このばね係止部７５と、シャーシ５の左、右側面部の後部に設けたばね係止部７６との間に第２のスプリングＰ２が掛け渡してあり、この第２のスプリングＰ２の付勢力により上側スライドラック部材５３Ｌ、５３Ｒは後方に付勢されている。
【００４４】
そして、前記操作パネルであるコントロールパネル６２の両側の上部に設けた作動ピン６２を一方のスライド部材である左右のスライドプレート４５Ｌ、４５Ｒの円弧状のガイド孔４６に摺動可能に挿入して前記コントロールパネル６２の上部を左右のスライドプレート４５Ｌ、４５Ｒで支持すると共に、前記コントロールパネル６２の両側の下部を、他方のスライド部材である下側スライドラック部材５７Ｌ、５７Ｒの前端部に支軸ピン５９により回動可能に支持して支持手段が構成してあり、上、下側スライドラック部材５３Ｌ、５３Ｌ、５７Ｌ、５７Ｒとラックギヤ５３と第１のスプリングＰ１とで、他方のスライド部材を一方のスライド部材より早い速度で動かす移動手段を構成している。そして、前記支持手段と前記移動手段とで連動手段を構成している。
【００４５】
また、前記駆動手段において、表示体ユニット移動手段は、前記表示体ユニット２が搭載する駆動源であるモーター２１の出力軸２１Ａに、ウォームギヤ機構２６を有するギヤ列２７を介して連係するピニオンギヤ２４と、スライド用同期軸２２に設けられて前記シャーシユニット１側の固定ラック７、８に噛み合う左、右側ラック用ギヤ２３、２５とより構成してあり、表示体起伏手段は、前記左側ラック用ギヤ２３にスイングギヤ２９を介して噛み合うパワーギヤ４０と、このパワーギヤ４０が噛み合う左の起立用駆動ギヤ４１Ｌ、及び右の起立用駆動ギヤ４１Ｒと、左右の起立用駆動ギヤ４１Ｌ、４１Ｒが噛み合う左右のパネルギヤ３６Ｌ、３６Ｒとで構成してある。
【００４６】
次に、上記のように構成された表示機器に作動を説明する。
表示パネル３２の収納状態では、図２５及び図２７に示すように表示体ユニット２の可動ベース部材１７の左右のストッパー部１７Ｌ−１、１７Ｌ−２がスライドプレート４５Ｌ、４５Ｒのストッパー部５２に当接しており、第１のスプリングＰ１は引っ張られている。また、前記可動ガイドレール部材１１のガイドピン７４がパネル枠体３３のガイド溝３３Ｑに摺動可能に挿入していて、衝撃荷重に対応している。
【００４７】
この状態では、図２５に示すように下側スライドラック部材５７Ｌ、５７Ｒとスライド部材４５とは共に後退した位置にあって、図２２、図２３の（１）に示すように前記コントロールパネル６２の左、右側面部の上部の作動ピン６７が、左右のスライドプレート４５Ｌ、４５Ｒの円弧状のガイド孔４６の上端部に位置していて、前記コントロールパネル６２は直立状態になっていて、このコントロールパネル６２の操作面６２Ａが正面になり、図１に示すようにケースＫの前面開口部Ｋー１を閉じている。
【００４８】
この状態で、外部入力によりモーター２１が起動されると、ウォームギヤ機構２６を有するギヤ列２７を介してピニオンギヤ２４が回転駆動される。このためにスライド用同期軸２２を介して左、右側ラック用ギヤ２３、２５が回転する。このために、表示体ユニット２が前進する。
【００４９】
この場合、スイング機構Ｓのスイングプレート２８にも回転力が発生するが、このスイングプレート２８のスイングピン３０がピンガイド部９の前半部のガイド溝部９Ａに摺動可能に挿入されていて、規制を受けているためにスイングギヤ２９はパワーギヤ４０から離れている。
【００５０】
表示体ユニット２の前進は、可動ガイドレール部材１１とシャーシ５間に掛け渡された第３のスプリングＰ３により可動ガイドレール部材１１と共に行われ、可動ガイドレール部材１１が、スライドピン１４により停止した後は表示体ユニット２のみ前進する。この表示体ユニット２の前進により、スイングプレート２８の下部のスイングピン３０がピンガイド部９の前半部のガイド溝部９Ａから切替溝部９Ｃを経てガイド面部９Ｂに移動するために、スイングプレート２８のピンガイド部９による規制が解除され、スイングギヤ２９はパワーギヤ４０に噛み合う。
【００５１】
このために、前記ピニオンギヤ２４の回転がスイングギヤ２９を介してパワーギヤ４０に伝えられて起立用同期軸３９が回転して、左右の起立用駆動ギヤ４１Ｌ、４１Ｒが回転する。このために、これらの起立用駆動ギヤ４１Ｌ、４１Ｒが噛み合うパネル側ギヤ３６Ｌ、３６Ｒに回転力を付与して表示パネル３２を、図４の（１）に示すように起立させる。
【００５２】
上記した表示パネル３２の引き出し動作及び起立動作と同時に、前記コントロールパネル６２は直立状態から図４の（２）、（３）、図２３の（１）に示すように寝かし込まれる。すなわち、コントローラーユニット３において、コントロールパネル６２は、その左右の上側が、作動ピン６７を左右のスライドプレート４５Ｌ、４５Ｒの円弧状のガイド孔４６に摺動可能に挿入することにより左右のスライドプレート４５Ｌ、４５Ｒに支持され、その左右の下側が、下側スライドラック部材５７Ｌ、５７Ｒの前端部に支軸ピン５９により支持されているために、下側スライドラック部材５７Ｌ、５７Ｒをスライドプレート４５Ｌ、４５Ｒより倍速度で動かすことによりコントロールパネル６２の寝かし込みが行われる。
【００５３】
すなわち、図２３の（２）に示すように第１のスプリングＰ１のばね力により下側スライドラック部材５７Ｌ、５７Ｒが前進し、この下側スライドラック部材５７Ｌ、５７Ｒのラック部５８が噛み合うラックギヤ５３が回転する。この場合、上側スライドラック部材５３Ｌ、５３Ｒは、第２のスプリングＰ２により後方に引かれていて、これのスライドガイド孔５６の前端部にスライドピン６４が衝接しているために後退することができず、固定ラック相当になる。したがって、下側スライドラック部材５７Ｌ、５７Ｒと共に、スライド部材４５が前進するが、この場合、下側スライドラック部材５７Ｌ、５７Ｒはスライド部材４５の倍速度で前進するために、コントロールパネル６２の寝かし込みが行われる。
【００５４】
前記表示パネル３２の起立動作により、この表示パネル３２に固着されたブラケット３７の左右の干渉片部３８Ｌ、３８Ｒが、図４の（２）、（３）に示すように前記コントローラユニット３のフロントステー４５Ｃの一対のステー側干渉部７４に後方から干渉して、コントローラユニット３を前方向に押す。このために、コントローラユニット３の左右のスライドプレート４５Ｌ、４５Ｒに設けたラックギヤ５３が前進するが、このラックギヤ５３は下側スライドラック部材５７Ｌ、５７Ｒにより回転できないために、ラックギヤ５３と上、下側スライドラック部材５３Ｌ、５３Ｒ、４７Ｌ、５７Ｒは第２のスプリングＰ２に抗して三者一体で前進する。
【００５５】
その後、前記フォトセンサー４３が、固定ラック８に設けた検出用リブ８Ａのスリット８Ａー１の位置に達して停止位置を検出して前記モーター２１の駆動を停止する。
【００５６】
前記起立状態でのバックラッシュによる表示パネル３２のがたつきは、この表示パネル３２に固着されたブラケット３７の左右の干渉片部３８Ｌ、３８Ｒが、前記コントローラユニット３のフロントステー４５Ｃの一対のステー側干渉部７４に干渉していることにより防止される。この場合、第２のスプリングＰ２の付勢力により下側スライドラック部材５７Ｌ、５７Ｒを介してフロントステー４５Ｃの一対のステー側干渉部７４が後方に引かれることにより、ステー側干渉部７４が左右の干渉片部３８Ｌ、３８Ｒに干渉する。
【００５７】
また、表示パネル３２の起立状態では、この表示パネル３２の表示面３４と操作パネル６２の操作面６２Ａとがなす角度αは２７０度以下であり、表示面３４と操作面６２Ａとを合わせてより広い表時面積を得ることができる。
【００５８】
次に、表示パネル３２及びコントロールパネル６２の収納を説明する。
前記モーター２１の逆転駆動により、前記ピニオンギヤ２４の逆回転がスイングギヤ２９を介してパワーギヤ４０に伝えられて起立用同期軸３９が逆回転して、左右の起立用駆動ギヤ４１Ｌ、４１Ｒが逆回転する。このために、これらの起立用駆動ギヤ４１Ｌ、４１Ｒが噛み合うパネル側ギヤ３６Ｌ、３６Ｒに逆回転力を付与して表示パネル３２を、図４の（３）に示すように起立状態から前方に傾動させる。
【００５９】
前記表示パネル３２の傾動により、この表示パネル３２に固着されたブラケット３７の左右の干渉片部３８Ｌ、３８Ｒの前記ステー側干渉部７４への後方からの干渉がなくなる。このために、第２のスプリングＰ２のばね力によりラックギヤ５３と上、下側スライドラック部材５３Ｌ、５３Ｒ、４７Ｌ、５７Ｒは第２のスプリングＰ２のばね力により三者一体で後退する。
【００６０】
この場合、下側スライドラック部材５７Ｌ、５７Ｒをスライドプレート４５Ｌ、４５Ｒより倍速度で後退させることによりコントロールパネル６２の寝かし込み状態から起立状態への動作が行われる。
【００６１】
表示体ユニット２の後退により、スイングプレート２８の下部のスイングピン３０がピンガイド部９の後半部のガイド面部９Ｂから切替溝部９Ｃを経てガイド溝部９Ａに移動するために、スイングプレート２８のピンガイド部９による規制が行われて、スイングギヤ２９のパワーギヤ４０への噛合いが解除される。
【００６２】
この状態では、図２２、図２３の（１）に示すように下側スライドラック部材５７Ｌ、５７Ｒとスライド部材４５とは共に後退した位置にあって、前記コントロールパネル６２は直立状態になり、このコントロールパネル６２の操作部６２Ａが正面に成り、ケースＫの前面開口部Ｋー１を閉じる。
【００６３】
【発明の効果】
以上説明したように、請求項１の発明に係わる表示装置によれば、筐体内に収納された状態から外方に移動してその表示面の向きを変えるように回動できる表示体と、操作面を有する操作パネルとを備えた表示装置において、前記表示体に、この表示体の回動時に、前記操作パネルを、その操作面側が表になるように回動する連動手段を備えており、前記連動手段を、前記操作パネルの両側の上部に設けた作動ピンを一方のスライド部材の円弧状のガイド孔に摺動可能に挿入して前記操作パネルの上部を一方のスライド部材で支持すると共に、前記操作パネルの両側の下部を、他方のスライド部材の前端部に支軸ピンにより回動可能に支持した支持手段と、他方のスライド部材を一方のスライド部材より早い速度で動かす移動手段とで構成したことを特徴とする。
【００６４】
かかる構成により、連動手段により、表示体の回動時に、操作パネルを、その操作面側が表になるように回動させる。すなわち、表示体が突出して立ち上り姿勢になると、操作パネルを回動させて、この操作パネルの、収納時と同じ面である操作面を表側にして、この操作面と表示体の表示面とを同時に見ることができて広い表示面積を得ることができるし、操作者の手を煩わせるという問題点を解消することができるばかりか、移動手段の作動で他方のスライド部材を一方のスライド部材より早い速度で動かすことにより、前記操作パネルの下部が前方に突出すると共に、操作パネルの上部に設けた作動ピンを一方のスライド部材の円弧状のガイド孔を摺動して下降し操作パネルの寝かし込みを行うことができる。
【００６５】
また、請求項２の発明に係わる表示装置によれば、筐体内に設けられたシャーシユニットと、このシャーシユニットに組み込まれて表示体を回動可能に保持して前後方向に移動可能な表示体ユニットと、シャーシユニットに組み込まれて操作パネルを回動可能に保持して前後方向に移動可能なコントローラユニットと、前記表示体ユニットを前後方向に移動させると共に、前記表示体ユニットの移動途中で前記表示体をその表示面の向きを変えるように回動させる駆動手段と、前記表示体の回動時に、前記操作パネルを、これの操作面側が表になるように回動させる連動手段とを備えており、前記連動手段を、前記操作パネルの両側の上部に設けた作動ピンを一方のスライド部材の円弧状のガイド孔に摺動可能に挿入して前記操作パネルの上部を一方のスライド部材で支持すると共に、前記操作パネルの両側の下部を、他方のスライド部材の前端部に支軸ピンにより回動可能に支持した支持手段と、他方のスライド部材を一方のスライド部材より早い速度で動かす移動手段とを備えたことにより、駆動手段により表示体ユニットを前後方向に前進させると、この表示体ユニットの前進途中で前記表示体がその表示面の向きを変えるように回動する。この場合、連動手段により前記操作パネルが、これの操作面側が表になるように回動し、この操作パネルの、収納時と同じ面である操作面を表側にして、この操作面と表示体の表示面とを同時に見ることができて広い表示面積を得ることができるし、操作者の手を煩わせるという問題点を解消するばかりか、移動手段の作動で他方のスライド部材を一方のスライド部材より早い速度で動かすことにより、前記操作パネルの下部が前方に突出すると共に、操作パネルの上部に設けた作動ピンを一方のスライド部材の円弧状のガイド孔を摺動して下降し操作パネルの寝かし込みを行うことができる。
【００６７】
また、請求項３の発明に係わる表示装置によれば、請求項２記載の表示装置において、前記シャーシユニットを、ベース部材に固着されるシャーシの両側部に、前後方向に内方に突出するようにして複数のガイドローラーを軸支し、可動ガイドレール部材の両側部に、外方に向かって開口するガイドレール部を前後方向に向けて形成すると共に、前記ガイドレール部の上面部をガイド部に成し、前記ガイドローラーを前記ガイドレール部に挿入して前記可動ガイドレール部材を前記シャーシ内に前後方向に移動可能に組み付けて構成し、前記表示体ユニットの両側部に前後方向に外方に突出するようにして複数のガイドローラーを軸支し、前記表示体ユニットの前記ガイドローラーを、前記ガイドレール部の上面部の前記ガイド部に当接させて、前記可動ガイドレール部材内に前記表示体ユニットを前後方向に移動可能に組み付けたことにより、請求項２の作用と同様な効果を奏し得るばかりか、前記表示体ユニットの前後方向の移動に際して、前記可動ガイドレール部材がシャーシに対して移動し、次に、この可動ガイドレール部材に対して表示体ユニットが移動するために、表示体ユニットの長い引き出しストロークに対処でき、通常必要となる固定ガイドレールが不要になる。
【００６８】
また、請求項４の発明に係わる表示装置によれば、請求項２記載の表示装置において、前記駆動手段を、前記表示体ユニットが搭載する駆動源によりラックギヤを前記シャーシユニット側の固定ラック上を回転させて前記表示体ユニットを移動する表示体ユニット移動手段と、前記駆動源の回転を前記表示体の回動中心に設けられたパネル側ギヤに伝達するギヤ列を有する表示体起伏手段と、前記表示体起伏手段の前記ギヤ列のギヤ連係及びこの連係の解除を前記表示体ユニットの移動途中で行うクラッチ手段とで構成したことにより、請求項２の発明の効果と同様な効果を奏し得る。
【００６９】
また、１つの駆動源（モーター）で表示体の引き出しと起立の２動作を別々に行なうと、駆動経路の切替タイミングが微妙になると共に、駆動力がなくなった側の状態保持をそれぞれ行う必要があるが、表示体ユニット移動手段により前記表示体ユニットを移動し、その途中でクラッチ手段により前記表示体起伏手段のギヤ列のギヤ連係を行うことで、前記表示体の移動途中でこの表示体の起立を行うことができて、引き出し側の状態保持が不要になる。
【００７０】
また、請求項５の発明に係わる表示装置によれば、請求項２又は請求項３又は請求項４記載の表示装置において、前記コントロールユニットを、スライドベースの側部にスライドプレートを前後方向に移動可能に設けると共に、前記スライドプレートにラックギヤを回転可能に支承し、前記スライドプレートに上、下側スライドラック部材をそれぞれ前後方向に移動可能に設けて、上、下側スライドラック部材のラック部をそれぞれ前記ラックギヤに噛み合せ、前記操作パネルの両側の上部に設けた作動ピンを前記スライドプレートの円弧状のガイド孔に摺動可能に挿入して前記操作パネルの上部を一方のスライド部材で支持すると共に、前記操作パネルの両側の下部を、前記下側スライドラック部材の前端部に支軸ピンにより回動可能に支持し、前記スライドプレートと前記下側スライドラック部材との間に第１のスプリングを掛け渡すと共に、前記上側スライドラック部材と前記スライドベースとの間に第２のスプリングを掛け渡し、前記スライドベースに、前記表示体ユニットが回動可能に保持する前記表示体の起立時に、この表示体の下側部に干渉するステー側干渉部を設けたことにより、請求項２の発明の効果と同様な効果を奏し得るばかりか、起立状態でのバックラッシュによる前記表示体のがたつきは、第２のスプリングが前記上側スライドラック部材を後方に付勢して、前記スライドベースのステー側干渉部が前記表示体の下側部に干渉することにより防止されるので、前記表示体の視認性を確保することができる。
【図面の簡単な説明】
【図１】本発明に係わる表示装置の斜視図である。
【図２】同表示装置において表示パネルを起立させた状態の一部省略した正面図である。
【図３】同表示装置において表示パネルを引き出した状態の平面図である。
【図４】（１）、（２）、（３）は同表示装置の作動説明図である。
【図５】同表示装置において可動ガイドレール部材をシャーシ内に格納した状態のシャーシユニットの平面図である。
【図６】図５のＡ方向からの矢視図である。
【図７】同表示装置において可動ガイドレール部材をシャーシ内から引き出した状態のシャーシユニットの平面図である。
【図８】可動ガイドレール部材の正面図である。
【図９】図７のＢ−Ｂ線方向からの矢視図である。
【図１０】図５のＣ−Ｃ線方向からの矢視図である。
【図１１】（１）は左の固定ラックを内側から見た側面図である。
（２）は右の固定ラックを内側から見た側面図である。
【図１２】表示体ユニットの平面図である。
【図１３】図１２のＤ方向からの矢視図である。
【図１４】図１２のＥ方向からの矢視図である。
【図１５】図１２のＦ方向からの矢視図である。
【図１６】図１２のＧ方向からの矢視図である。
【図１７】（１）はスイング機構の側面図である。
（２）は同スイング機構の平面図である。
（３）は同スイング機構の分解図である。
【図１８】（１）はロックプレート部分の平面図である。
（２）は同ロックプレート部分とスイング機構との組合わせの側面図である。
【図１９】コントロールユニットの平面図である。
【図２０】図１９のＨ方向からの矢視図である。
【図２１】図１９のＩ方向からの矢視図である。
【図２２】図１９のＪ−Ｊ方向からの矢視図である。
【図２３】（１）は図１９のＬ−Ｌ方向からの矢視図である。
（２）は（１）の状態から下側スライドラック部材を前進させた状態の構成説明図である。
【図２４】（１）はスライドプレートと上、下側スライドラック部材との組合わせの説明図である。
（２）は（１）のＭ方向からの矢視図である。
【図２５】表示体ユニットにコントロールユニットを組み込んだ状態の平面図である。
【図２６】図２５のＮ方向からの矢視図である。
【図２７】図２５のＯ方向からの矢視図である。
【図２８】従来の表示装置の斜視図である。
【図２９】従来の他の表示装置において操作パネルを格納した状態の斜視図である。
【図３０】同表示装置において操作パネルを拡開した状態の斜視図である。
【符号の説明】
１  シャーシユニット
２  表示体ユニット
３  コントローラユニット
３２  表示体パネル（表示体）
３４  表示面
６２  コントロールパネル（操作パネル）
６２Ａ  操作面
Ｋ  筐体
【図１】
0003818604.tif 000002
【図２】
0003818604.tif 000003
【図３】
0003818604.tif 000004
【図４】
0003818604.tif 000005
【図５】
0003818604.tif 000006
【図６】
0003818604.tif 000007
【図７】
0003818604.tif 000008
【図８】
0003818604.tif 000009
【図９】
0003818604.tif 000010
【図１０】
0003818604.tif 000011
【図１１】
0003818604.tif 000012
【図１２】
0003818604.tif 000013
【図１３】
0003818604.tif 000014
【図１４】
0003818604.tif 000015
【図１５】
0003818604.tif 000016
【図１６】
0003818604.tif 000017
【図１７】
0003818604.tif 000018
【図１８】
0003818604.tif 000019
【図１９】
0003818604.tif 000020
【図２０】
0003818604.tif 000021
【図２１】
0003818604.tif 000022
【図２２】
0003818604.tif 000023
【図２３】
0003818604.tif 000024
【図２４】
0003818604.tif 000025
【図２５】
0003818604.tif 000026
【図２６】
0003818604.tif 000027
【図２７】
0003818604.tif 000028
【図２８】
0003818604.tif 000029
【図２９】
0003818604.tif 000030
【図３０】
0003818604.tif 000031